(57)【要約】【課題】メモリーカードを筐体から取り出すための切り欠き部を筐体に設けることなく、メモリーカード挿入口の蓋を押すことで筐体の奥まった位置に収納されるメモリーカードを着脱可能とする蓋付のイジェクト装置を提供する。【解決手段】メモリーカードを挿入するための開口部を筐体に設け、メモリーカードを取り出すためのイジェクト機構を有するコネクタを筐体の開口部の内側に設け、筐体の開口部に可撓性を有する蓋を設け、蓋の一端を筐体に固定するとともに、蓋の他端を筐体に係止するロック部を設け、ロック部を筐体に対して係止または離脱可能な構成とし、蓋の中央部を押すとメモリーカードが押される構成にする。この構成により、蓋の外側から押すことにより、その力が内部のイジェクト機構に伝わりメモリーカードがイジェクトされ、メモリーカードが蓋の内側から蓋を押すことにより、蓋のロックが外れるようにしている。【選択図】図１
2006119881.tif 000002
【特許請求の範囲】
【請求項１】
メモリーカードを挿入するための開口部を有する筐体にメモリーカードを押すとメモリーカードが押し出されるプッシュプッシュ方式のイジェクト機構を有するコネクタを設け、前記筐体の開口部に可撓性を有する蓋を設け、前記蓋の一端を前記筐体に固定し、前記蓋の他端に前記筐体に係止するロック部を設け、前記ロック部は前記筐体に係止または離脱可能にし、前記蓋の中央部を押すとメモリーカードを押す構造にすることにより、メモリーカードを前記コネクタに入れた状態で前記蓋の外から前記メモリーカードを押すと、前記メモリーカードがイジェクトして前記蓋を押し出すことにより前記蓋のロック部を前記筐体から離脱させて蓋を開け、前記メモリーカードを前記筐体から押し出して筐体の外から取り出せるようにしたことを特徴とする蓋付きイジェクト装置。
【請求項２】
請求項１に記載の蓋付きイジェクト装置を備えた携帯端末。
【発明の詳細な説明】
【技術分野】
【０００１】
本発明は携帯電話機等の携帯端末に関し、特に、蓋付きイジェクト装置を搭載した携帯端末に関するものである。
【背景技術】
【０００２】
メモリーカードの収納と排出を行う蓋付きイジェクト装置は、メモリーカードを挿入後、再度押すと排出される構造であるプッシュプッシュ方式のカード用コネクタを利用することにより、近年、携帯電子機器に急速に利用範囲が拡大している。コネクタのカードカバーとイジェクト機構を一体化させ、メモリーカードの挿入と取り出しを、バネを使わず手動で行う蓋付きイジェクト装置が提案されている（たとえば特許文献１）。また、バネを用いてカードを挿入後、再度押すと自動的に排出されるプッシュプッシュ式のカード用コネクタとしては、たとえば特許文献２が知られている。このようなプッシュプッシュ式イジェクト装置を搭載した従来の携帯端末は、図８、図９に示すように、筐体２０２にプッシュプッシュ方式のカード用コネクタ２５１を収容しており、筐体外部よりカード用コネクタ２５１に外部記憶装置であるメモリーカード２５０を収容するため、筐体開口部にゴミや水分の侵入を防ぐためのカードカバー２６０を配設し、密閉する工夫がなされている。
【特許文献１】特開平１０−８３４３５号公報（第５頁、第１図）
【特許文献２】特開２００３−２１７７３８号公報（第１０頁、図１、図２）
【発明の開示】
【発明が解決しようとする課題】
【０００３】
しかしながら、たとえば特許文献１の従来の蓋付きイジェクト装置では、イジェクト機構と蓋を一体化して手動によるプッシュプッシュを実現しているが、構造が複雑となり、またメモリーカードの挿入と取り出しのプッシュプッシュ動作をすべて手動で行うため、一度の動作で取り出すことができないという問題があった。また、特許文献２などのプッシュプッシュ式コネクタを搭載した従来の携帯端末は、たとえば、図１０に示すように、カード用コネクタ２５１が筐体２０２内の基板２５２に配設されており、メモリーカード２５０の挿入と取り出しをプッシュプッシュ方式の動作で行おうとすると、メモリーカード２５０を取り出すために必要なプッシュ操作のストローク分ａが筐体２０２の外形から出ている必要がある。そのため、開口部にゴミや水分の侵入を防ぐためカードカバー２６０を取り付け、かつメモリーカード２５０を筐体よりストローク分ａだけ出すために、筐体２０２の外形に奥行きＣの切り欠き部２７０を設ける方法がとられている。カードカバー２６０はメモリーカード２５０をほこりや水分などから保護するために必要であるが、メモリーカード２５０を取り出すにはこのカードカバー２６０を開けてから行うわずらわしさがあり、また、切り欠き部２７０を設けた場合は、カードカバー２６０は筐体２０２の外形より外部に出ているメモリーカード２５０を覆いかぶせるように取り付ける必要がある。この場合のメモリーカード２５０の取り出しは、一度カードカバー２６０を手で開いてから、次に切り欠き部２７０からストローク分ａだけ出ているメモリーカード２５０を指で押してプッシュプッシュ動作で取り出さなければならないため、取り出しに手間がかかるという問題があった。
【課題を解決するための手段】
【０００４】
本発明の蓋付きイジェクト装置は、メモリーカードを挿入するための開口部を筐体に設け、メモリーカードを取り出すためのイジェクト機構を有するコネクタを筐体の開口部の内側に設け、筐体の開口部に可撓性を有する蓋を設け、蓋の一端を筐体に固定するとともに、蓋の他端を筐体に係止するロック部を設け、ロック部は筐体に対して係止または離脱
可能な構造とし、前記蓋の中央部を押すとメモリーカードを押す構造にし、メモリーカードを入れた状態で蓋の外側から押すと、メモリーカードが押され、その力が内部のイジェクト機構に伝わりメモリーカードがイジェクトされ、メモリーカードが蓋の内側から蓋を押すことにより、蓋のロック部の係止が外れるようにしている。この構成により、筐体に切り欠き部を設ける必要がなく、簡便な構造で筐体の奥まった位置に収納されるメモリーカードを蓋を押すだけの動作で取り出すことを可能としている。
【発明の効果】
【０００５】
本発明の蓋付きイジェクト装置によれば、筐体に切り欠き部を構成することなく、筐体の奥まった位置に収納されるメモリーカードを蓋を押すだけの一度の動作で簡単に取り出すことが可能となる。
【発明を実施するための最良の形態】
【０００６】
以下、本発明の蓋付きイジェクト装置を実施する最良の形態について、図面を用いて説明する。
【０００７】
（実施の形態１）
本発明の第１の実施の形態の蓋付きイジェクト装置を図１から図７を用いて説明する。図１は、本発明の蓋付きイジェクト装置の構成を示したもので、図１において、５はメモリーカード、６はカードカバー、５１はプッシュプッシュ方式のコネクタ、５２はプッシュプッシュ方式によるイジェクト機構、６１、６２はカードカバー６の可撓部、６３はカードカバー６の剛性部、６４は剛性部６３でメモリーカード５に接する押し子、６５はカードカバー６の保持部、６６はカードカバー６に設定されたロック部である。図１で本実施の形態のイジェクト装置のイジェクト機構５２はメモリーカード５を排出するスプリング５３とロック機構おこなうイジェクトレバー５４を備えている。ロック機構は、例えば、金属棒の両端を直角に折り曲げたイジェクトレバー５４の一端をコネクタ５１に連結し、他端をイジェクト機構５２のハート型の溝に沿って移動させ、ハートの窪み（凹部）で引っ掛けてロックさせる図示しないハートカム機構によるものが用いられている。ハートカム機構によるロック機構の例は、特許文献２の第１１頁、図４で示されている。
【０００８】
本実施例で用いるコネクタ５１のプッシュプッシュ方式のイジェクト機構は、図１でメモリーカード５を挿入するとスプリング５３が圧縮され、メモリーカード５の端面５Ｄが５Ａの位置にくると、イジェクト機構５２のロックが係り固定される。この位置でメモリーカード５とコネクタ５１で図示しない電気接点が接続される。この状態からメモリーカード５を押し込んでメモリーカード５の端面５Ｄが５Ｂの位置にくるとイジェクト機構５２のロックがはずれ、メモリーカード５はイジェクト機構５２のスプリング５３による反発力で押し出される。このとき、メモリーカード５がコネクタ５１の外に飛び出してしまわないように、端面５Ｄが５Ｃの位置にきたとき、イジェクト機構５２にメモリーカード５を保持させる飛び出し防止機構を備えている。以上が、本発明の蓋付きイジェクト装置で用いるコネクタ５１が必要とするプッシュプッシュ方式のイジェクト機構の動作である。
【０００９】
図２は、本発明の蓋付きイジェクト装置を搭載した携帯端末の斜視図である。蓋付きイジェクト装置を搭載する携帯端末としては、図２で示すような表示部１１と受話部１２を備えた上部筐体１と、操作ボタン２１と送話部２２を備えた下部筐体２とをヒンジ部３で結合させた構成のものが一例として考えられる。図２の例では、下部筐体２の内部にコネクタ５１を実装し、下部筐体２の側面にコネクタ５１の蓋としてカードカバー６を装着している。このカードカバー６の外側は図２で示すように下部筐体２の側面と同一の面で構成され、メモリーカードを装着するための装着口がこのカードカバー６で完全に覆う構造となっており密閉性を確保している。
【００１０】
図３は、図２で例示した携帯端末の下部筐体２に装着された本発明の蓋付きイジェクト装置のＡ−Ａ断面図である。図３では、下部筐体２にコネクタ５１とカードカバー６が搭載され、メモリーカード５がコネクタ５１にロックされて収納されている状態を示している。図３で示すように、カードカバー６はメモリーカード５に接触する押し子６４を設けており、カードカバー６の押し子６４の部分を押すことでメモリーカード５を押すことができ、カードカバー６を押すだけでカードコネクタ５１のプッシュプッシュ動作が可能となっている。
【００１１】
以下、図１および図４から図６を用いて本発明の蓋付きイジェクト装置の動作を説明する。図１は、既に説明したように、メモリーカード５がメモリーカード５の端面５Ｄが５Ａの位置で、コネクタ５１のイジェクト機構５２によりロックされて収納されている状態を示している。このとき、外部からカードカバー６の押し子６４を押してメモリーカード５を挿入方向６Ａの方向にメモリーカード５の端面５Ｄを５Ｂの位置まで押し込むと、図４で示す状態になる。図４は、メモリーカード５が挿入方向６Ａの方向に押し込まれたためイジェクト機構５２のイジェクトレバー５４がハートカムの凹部からはずれてロックがはずれたときの状態を示している。本発明の蓋付きイジェクト装置はこの状態から、イジェクト機構５２のスプリング５３の反発力でメモリーカード５をカード取り出し方向６Ｂの方向に押し出そうとする。図５は、イジェクト機構５２のロックがはずれメモリーカード５が押し出されて、メモリーカード５がカードカバー６の押し子６４を押し出し、カードカバー６のロック部６６のロックが外れたときの状態を示している。図５で示すように、メモリーカード５がカードカバー６の押し子６４を押し出すと、カードカバー６が一定の長さであることにより、押し子６４の取り出し方向６Ｂへの移動に伴い、ロック部６６が保持部６５の方向に引き寄せられ、ロック部６６のロックが解除される。カードカバー６は、ロック部６６のロックが解除されると、メモリーカード５による取り出し方向６Ｂへの押し出しにより外側に開かれる。このとき、メモリーカード５は、図６に示すように、コネクタ５１のイジェクト機構５２のスプリング５３の力でメモリーカード５の端面５Ｄが筐体外の５Ｃの位置に押し出さる。図６および図７に、プッシュプッシュ動作により、カードカバー６が開き、下部筐体２の外にメモリーカード５が排出された状態を示す。図６および図７に示したように、本発明の蓋付きイジェクト装置は、カードカバー６を押すだけで、メモリーカード５がカードカバー６のロックをはずし、メモリーカード５の一部が下部筐体２の外部に突出する位置まで押し出されるため、押し出されたメモリーカード５の突出部分を摘むことでメモリーカード５を下部筐体２より容易に取り出すことができる。
【産業上の利用可能性】
【００１２】
本発明の蓋付きイジェクト装置は、簡便な構造で筐体の奥まった位置に収納されるメモリーカードを挿入口の蓋を押すだけの動作で取り出すことが可能という効果が有り、メモリーカードを使用するデジタルカメラやオーディオ装置、パーソナルコンピュータ、携帯電話機等の電子機器に有用である。
【図面の簡単な説明】
【００１３】
【図１】本発明の蓋付きイジェクト装置の断面図
【図２】本発明の蓋付きイジェクト装置を搭載した携帯端末の斜視図
【図３】本発明の蓋付きイジェクト装置を搭載した携帯端末のＡ−Ａ断面図
【図４】本発明の蓋付きイジェクト装置のカードカバーを押し込んだ状態を示す断面図
【図５】本発明の蓋付きイジェクト装置のカードカバーが押し上げられロックが外れた状態を示す断面図
【図６】本発明の蓋付きイジェクト装置のカードカバーが開き、メモリーカードの一部が筐体の外に出た状態を示す断面図
【図７】本発明の蓋付きイジェクト装置を搭載した携帯端末の斜視図
【図８】従来の蓋付きイジェクト装置を搭載した携帯端末の斜視図
【図９】従来の蓋付きイジェクト装置を搭載した携帯端末の正面図
【図１０】従来の蓋付きイジェクト装置を搭載した携帯端末のＢ−Ｂ断面図
【符号の説明】
【００１４】
５  メモリーカード
５１  コネクタ
５２  イジェクト機構
５３  スプリング
５４  イジェクトレバー
６  カードカバー
６１、６２  可撓部
６３  剛性部
６４  押し子
６５  保持部
６６  ロック部
【図１】
2006119881.tif 000003
【図２】
2006119881.tif 000004
【図３】
2006119881.tif 000005
【図４】
2006119881.tif 000006
【図５】
2006119881.tif 000007
【図６】
2006119881.tif 000008
【図７】
2006119881.tif 000009
【図８】
2006119881.tif 000010
【図９】
2006119881.tif 000011
【図１０】
2006119881.tif 000012